(57)【特許請求の範囲】
【請求項１】
放送信号を受信し、これを復調して番組信号を出力するチューナ部と、
前記チューナ部からの前記番組信号を記録媒体に記録する記録部と、
前記放送信号の番組情報を取得し、この番組情報が含む番組名の文字情報に「新」が含まれている場合、または、前記番組情報が含む番組名の文字情報に話数が含まれており、その話数を構成する数字が１または一または初を含む初回を表す文字である場合は、当該番組名は新番組であると判定する新番組判定部と、
前記新番組判定部が新番組と判定したら、当該新番組の予約録画を行い、当該新番組の番組名をキーワードとして、前記番組情報から当該新番組と同一シリーズの番組を検索し、検索結果に基づいて前記同一シリーズに含まれる番組の予約録画を行うよう前記記録部を制御する予約録画部と、
を具備することを特徴とする放送記録装置。
【請求項２】
前記番組情報が含む番組名の文字情報に「終」が含まれている場合、または、前記番組情報が含む番組名の文字情報に最終話あるいは終了を示す情報が含まれている場合は、最終回番組と判定する最終回番組判定部を更に備え、
前記予約録画部は、前記最終回番組判定部が前記同一シリーズの番組に含まれる最終回番組を判定した後、前記同一シリーズの番組の予約録画の予約設定を消去するよう前記記録部を制御することを特徴とする請求項１に記載の放送記録装置。
【請求項３】
前記予約録画部は、前記録画予約情報において連続的な録画予約がなされている場合、この録画予約による録画済の番組を再生し、この番組を引き続き予約録画しつづける指示信号を受けると、この連続的な録画予約に応じた予約録画処理を続行する請求項１記載の放送記録装置。
【請求項４】
前記予約録画部は、前記録画予約情報において連続的な録画予約がなされている場合、この録画予約による録画済の番組を再生し、この番組を引き続き予約録画しない指示信号を受けると、この連続的な録画予約を行う予約録画設定を消去し、その録画済タイトルを削除する請求項１記載の放送記録装置。
【請求項５】
前記予約録画部は、前記録画予約情報において連続的な録画予約がなされている場合、この録画予約による録画済のシリーズのタイトル全話を削除することを特徴とする請求項４記載の放送記録装置。
【請求項６】
前記予約録画部は、前記録画予約による録画済の番組を再生し、この番組を引き続き予約録画しつづける指示信号を受けると、それ以降は、この番組について引き続き予約録画しつづけるかどうかの質問画面を表示しないことを特徴とする請求項３記載の放送記録装置。
【請求項７】
前記予約録画部は、前記録画予約情報において連続的な録画予約がなされている場合、前記録画予約による前記録画済の番組情報を参照して最終回の前記録画済の番組情報を検出した際、この連続的な録画予約を削除してこの予約録画処理を終了することを特徴とする請求項１記載の放送記録装置。
【請求項８】
前記予約録画部は、前記録画予約情報において連続的な録画予約がなされている場合、前記録画予約による前記録画済の番組情報を参照して最終回を含め全話の前記録画済の番組情報を検出した際、最終回を含め全話を録画した旨、かつ、予約録画処理を終了する旨を表示することを特徴とする請求項１記載の放送記録装置。
【請求項９】
前記予約録画部は、前記録画予約情報において連続的な録画予約がなされている場合、前記録画予約による前記録画済の番組情報を参照して最終回の録画済の番組情報が検出できなかった際、前記連続的な録画予約処理を終了しないことを特徴とする請求項１記載の放送記録装置。
【請求項１０】
前記予約録画部は、前記録画予約情報において連続的な録画予約がなされている場合、前記録画予約による前記録画済の番組情報を参照して前記連続的な録画予約のシリーズ全話は録画されていない際、最終回を録画した旨、かつ、全話は録画されていない旨を表示することを特徴とする請求項１記載の放送記録装置。
【請求項１１】
前記予約録画部は、前記録画予約情報において連続的な録画予約がなされている場合、前記放送信号の番組情報に最終回が含まれているかどうかの判断は、前記番組情報中に『終』又はそれに類した語句が検出できたかどうかにより行なうことを特徴とする請求項１記載の放送記録装置。
【請求項１２】
放送信号の番組情報を取得し、この番組情報が含む番組名の文字情報に「新」が含まれている場合、または、前記番組情報が含む番組名に話数が含まれており、その話数を構成する数字が１または一または初を含む初回を表す文字である場合は、当該番組名は新番組であると判定し、
新番組と判定したら、当該新番組の予約録画を行い、当該新番組の番組名をキーワードとして、前記番組情報から当該新番組と同一シリーズの番組を検索し、検索結果に基づいて前記同一シリーズに含まれる番組の予約録画を行うことを特徴とする放送記録方法。
【請求項１３】
前記番組情報が含む番組名の文字情報に「終」が含まれている場合、または、前記番組情報が含む番組名の文字情報に最終話あるいは終了を示す情報が含まれている場合は、最終回番組と判定し、
前記同一シリーズの番組に含まれる最終回番組を判定した後、前記同一シリーズの番組の予約録画の予約設定を消去することを特徴とする請求項１２に記載の放送記録方法。
【発明の詳細な説明】
【技術分野】
【０００１】
この発明は、放送記録装置に関し、特に新番組を自動検出して自動録画予約する放送記録装置及び放送記録方法に関する。
【背景技術】
【０００２】
周知のように、ハードディスクレコーダ等の放送記録装置においては、大容量の放送を記録し再生することが可能となってきた。これに伴い、予約設定を更に容易に行ないたいとの要望がある。
【０００３】
特許文献１は、ディジタル放送の番組において、シリーズ識別情報を用いて、番組を識別する機能が開示されている。
【特許文献１】特開２００５−２７８０９６公報
【発明の開示】
【発明が解決しようとする課題】
【０００４】
しかし上記した特許文献１では、放送信号の側からシリーズ識別情報が与えられなければ、例えば、対象の番組が新番組であるかどうか等の判断ができないという問題がある。
【０００５】
この発明は上記事情を考慮してなされたもので、対象の番組が新番組であることを自動認識し自動的に録画予約する放送記録装置及び放送記録方法を提供することを目的とする。
【課題を解決するための手段】
【０００６】
課題を解決するための一実施形態は、
放送信号を受信し、これを復調して番組信号を出力するチューナ部と、
前記チューナ部からの前記番組信号を記録媒体に記録する記録部と、
前記放送信号の番組情報を取得し、この番組情報が含む番組名の文字情報に「新」が含まれている場合、または、前記番組情報が含む番組名に話数が含まれており、その話数を構成する数字が１または一または初を含む初回を表す文字である場合は、当該番組名は新番組であると判定する新番組判定部と、
前記新番組判定部が新番組と判定したら、当該新番組の予約録画を行い、当該新番組の番組名をキーワードとして、前記番組情報から当該新番組と同一シリーズの番組を検索し、検索結果に基づいて前記同一シリーズに含まれる番組の予約録画を行なうべく前記記録部を制御する予約録画部と、
を具備することを特徴とする放送記録装置である。
【発明の効果】
【０００７】
上記した構成により、ＴＶ番組表から新番組を自動認識して自動予約することで、煩雑な操作をせずして新番組を自動的に記録・再生することが可能な放送記録装置を提供することができる。
【発明を実施するための最良の形態】
【０００８】
以下、この発明の実施の形態について図面を参照して詳細に説明する。
【０００９】
＜本発明の一実施形態に係る放送記録装置＞
（構成）
初めに、図１は、本発明の一実施形態に係る放送記録装置の構成の一例を示すブロック図である。図１の放送記録装置１０は、２種類のディスクドライブ部を有する。まず、ビデオファイルを構築できる情報記録媒体である第１のメディアとしての光ディスクＤを回転駆動し、情報の読み書きを実行する光ディスクドライブ部１９を有する。又、第２のメディアとしてのハードディスクを駆動するハードディスクドライブ部１８を有する。制御部３０は、全体の動作を司るべくデータバスを介して各部に接続されている。
【００１０】
又、図１の放送記録装置１０は、録画側を構成するエンコーダ部２１と、再生側を構成するＭＰＥＧデコーダ部２３と、装置本体の動作を制御する制御部３０とを主たる構成要素としている。放送記録装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）チューナ部１２と、いわゆる地上波チューナ部１３とが接続され、エンコーダ部２１に信号を出力する。又、ＢＳ／ＣＳチューナ部１２には衛星アンテナが、地上波チューナ部１３には地上波アンテナが接続されている。又、放送記録装置１０は、エンコーダ部２１と、エンコーダ部２１の出力を受け、データ編集等の所望のデータ処理を行うデータ編集部２０、データ編集部２０に接続されるハードディスクドライブ部１８、光ディスクドライブ部１９を有している。更に、放送記録装置１０は、ハードディスクドライブ部１８、光ディスクドライブ部１９からの信号を受けてデコードするＭＰＥＧデコーダ部２３と、エンコーダ部２１、バッファ部２２、ＭＰＥＧデコーダ部２３、多重化部２８、分離部２９、制御部３０、予約録画部・新番組判定部・最終回判定部４２、予約リストや番組表画像を生成する番組表生成部４３、を有している。これらの各部は、データバスを介して制御部３０に接続されている。更に、セレクタ部１７の出力は、外部の受像機４１に接続されるか、外部装置との通信を行うインタフェース部２７を介して、外部装置に供給される。
【００１１】
更に、放送記録装置１０は、データバスを介して制御部３０に接続され、ユーザの操作やリモコンＲの操作を受ける操作部３２を有している。ここで、リモコンは、放送記録装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。
【００１２】
（動作）
・基本動作
このような構成の放送記録装置１０において、光ディスクに例を取って、再生処理と記録処理の概要を説明すると、制御部３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００１３】
又、光ディスクの記録処理は、制御部３０の制御下において、例えば図示しない入力部を介しセレクタ部１６を介して供給されたデータは、エンコーダ部２１に供給され、コード化されて出力される。このコード化出力と制御部３０の出力に応じて、レーザドライバの駆動電流が光ピックアップに供給され、光ディスクＤの記憶領域に照射することで、記録処理が行われるものである。
【００１４】
・記録処理等
次に、このような構成を有する放送記録装置１０の動作を、更に詳細に説明する。初めに、主に記録時の動作について、他の実施形態も含めて詳細に説明する。放送記録装置１０の入力側として、ＬＡＮ等の通信部１１は、外部機器と接続して、例えばモデムＭ等を介しインターネット等の通信路を経由して番組情報提供サーバＳ等と通信を行ったり、コンテンツ情報等をダウンロードしたりする。又、ＢＳ／ＣＳチューナ部１２、地上波チューナ部１３は、アンテナを介して放送信号を選局し復調して映像信号及び音声信号を入力するもので、広範な種類の放送信号に対応する。例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、地上波アナログ放送のチューナ部や、ＢＳ／ＣＳチューナ部を２つ又は３つ以上を有し、予約録画の要求に応じて平行して機能させる場合も含んでいる。
【００１５】
又、先の通信部１１は、ＩＥＥＥ１３９４インタフェースであってもよく、ネットワーク上の外部機器からデジタルコンテンツを受けることが可能である。又、図示しない入力端部から、輝度信号や色差信号、コンポジット等の映像信号、音声信号を受けることも可能である。これらは、制御部３０等で制御されるセレクタ１６により、入力が制御されて、エンコーダ部２１に選択的に供給される。
【００１６】
エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、所定のＭＰＥＧ等の圧縮フォーマットに変換され、先の制御部３０に供給される。
【００１７】
又、ＢＳ／ＣＳチューナ１２等は、必ずしも内蔵されている必要はなく、データ入力端子を介して外付けされて、受信したデジタル信号をセレクタ部１６を介してエンコーダ部２１や制御部３０に供給することも好適である。
【００１８】
ここで図１の装置は、エンコーダ部２１でエンコードされた情報（ビデオ、オーディオ、副映像データなどのパック）及び作成された管理情報を、制御部３０を介してハードディスクドライブ部１８又は光ディスクドライブ部１９に供給し、ハードディスクドライブ部１８、又は、光ディスクＤに記録することができる。又、ハードディスクドライブ部１８、又は、光ディスクＤに記録された情報を、制御部３０、光ディスクドライブ部１９を介して光ディスクＤ、又は、ハードディスクドライブ部１８に記録することもできる。
【００１９】
・編集処理等
データ編集部２０により、ハードディスクドライブ部１８又は光ディスクＤに記録されている複数番組のビデオ・オブジェクトを、一部削除したり、異なる番組のオブジェクトをつなげたり、といった編集処理を行うこともできる。
【００２０】
・再生処理等  
次に、主に記録された情報の再生処理について、他の実施形態も含めて詳細に説明する。ＭＰＥＧデコーダ部２３は、デコードされた主映像にデコードされた副映像を適宜合成し、主映像にメニュー、ハイライトボタン、字幕やその他の副映像を重ねて出力するビデオプロセッサを備えている。
【００２１】
ＭＰＥＧデコーダ部２３の出力オーディオ信号は、セレクタ部１７を介して図示しないデジタルアナログ変換器でアナログ変換されてスピーカに供給されるか、Ｉ／Ｆ部２７を介して外部装置に供給される。セレクタ部１７は、制御部３０からのセレクト信号により制御される。これによりセレクタ部１７は、各チューナ部１２，１３からのデジタル信号を直接モニタする時、エンコーダ部２１をスルーした信号を直接選択することも可能である。
【００２２】
・予約録画処理
次に、通信部１１等から取得した電子番組情報に基づいて、ユーザのリモコンＲ等の操作により特定した番組に応じて、録画予約処理が可能である。予約された予約録画情報に基づいて、制御部３０及び予約録画部４２の働きにより、予約時刻になると、ＢＳ／ＣＳチューナ部１２又は地上波チューナ部１３が受信した番組情報が復調された映像音声信号が、エンコーダ２１等のエンコード処理を経て、例えば、ハードディスクドライブ１８に記録（予約録画）される。
【００２３】
この実施形態の放送記録装置１０は、このように総合的な機能を有するものであり、多くのソースに対して光ディスクＤ又はハードディスクドライブ部１８による記録・再生処理を行うものである。次に、この放送記録装置１０の予約録画処理について、図面を用いて詳細に説明する。
【００２４】
＜本発明の一実施形態である放送記録装置の新番組予約処理・最終回判定処理の一例＞
次に、この放送記録装置１０の特に新番組判定処理、最終回判定処理等をフローチャートを用いて以下に詳細に説明する。
【００２５】
図２は、本発明の一実施形態に係る放送記録装置におけるシリーズ新番組の予約登録処理の一例を示すフローチャート。図３は、同じくシリーズ新番組の終了時の処理の一例を示すフローチャート。図４は、同じくシリーズ予約の自動終了の処理の一例を示すフローチャート。図５は、同じく新番組の判定処理の一例を示すフローチャート。図６は、同じく最終回の判定処理の一例を示すフローチャート。図７は、同じくシリーズ予約登録の一例を示すフローチャート。図８は、同じくシリーズ番組が全部揃っているかどうかを判定する処理に一例を示すフローチャート。図９は、同じく番組表の一例を示す説明図。図１０は、同じく自動録画設定画面の一例を示す説明図。図１１は、同じく新番組自動録画の表示画面の一例を示す説明図。図１２は、同じくシリーズ録画の完結を知らせる表示画面の一例を示す説明図。図１３は、同じく最終回の録画の完了を知らせる表示画面の一例を示す説明図。図１４は、同じくシリーズ予約設定における話数判断処理の一例を示す説明図。図１５は、同じくシリーズ予約設定における話数判断処理の一例を示す説明図である。
【００２６】
（シリーズ録画の新番組の自動予約登録処理：図２，図９）
初めに、予約録画部・新番組判定部・最終回判定部４２の働きである、シリーズ録画の新番組の自動予約登録処理を図２のフローチャート及び図９の番組表を用いて説明する。
【００２７】
初めに、予約録画部・新番組判定部・最終回判定部４２の働きにおいて、図９に示すような番組表から一つの番組データを取得してこれを保持する（ステップＳ１１）。次に、予約録画部・新番組判定部・最終回判定部４２の働きとして、ここで得た番組データに対して新番組であるかを判定し、新番組であればステップＳ１４に進み、新番組でなければ、ステップＳ１３に進む（ステップＳ１２）。
【００２８】
新番組であれば、ステップＳ１４に進み、番組名をキーワードとして、シリーズ予約設定として自動的に登録するものである（ステップＳ１４）。これによりユーザは、煩わしい新番組の設定処理を行なうことなく、新番組を確実に録画することができる。
【００２９】
又、これらのステップＳ１１，Ｓ１２は、図９に示すような番組表の全番組データについて処理が行なわれ、全て終えたら終了する（ステップＳ１３）。
【００３０】
（シリーズ録画の視聴終了時の判断処理：図３）
次に、予約録画部・新番組判定部・最終回判定部４２の働きである、シリーズ録画の視聴終了時の判断処理の図３のフローチャートを用いて説明する。
【００３１】
シリーズ録画の視聴終了時の判断処理とは、ユーザがあるタイトルを視聴のために再生し、それをタイトルのエンドまで行う又は停止ボタンを押した場合に行われる処理をいう。このタイトルがシリーズ新番組自動予約登録にて録画した番組かどうかを調べ（ステップＳ２１）、シリーズ新番組自動予約登録にて録画したと判定されたらステップＳ２２へ進み、そうでなければ終了する。この自動で録画されたシリーズに対して、ユーザがこのまま自動録画させるか判断しているかどうか調べ（ステップＳ２２）、判断していないならばステップＳ２３へ進み、判断していれば終了する。
【００３２】
ユーザにアラート画面で新番組自動予約登録にて録画したタイトルであることを伝え、この自動で録画されたタイトルに対し、今後、録画してよいかどうか判断を仰ぐため、図１１に示すように、「予約設定消去」、「判断保留」、「予約設定続行」の選択肢を示す（ステップＳ２３）。ここで、「予約設定消去」が選択されたらステップＳ２７に進み、
そうでなければステップＳ２５に進み、ここで、「予約設定続行」が選択されたらステップＳ２７に進む。
【００３３】
すなわち、「予約設定消去」が設定されれば、該当のシリーズ予約設定を消去し（ステ
ップＳ２７）、該当のシリーズ予約設定で録画したタイトルを全て削除する（ステップＳ２８）。
【００３４】
又、「予約設定続行」が設定されれば（ステップＳ２５）、シリーズ予約設定に判断した情報を付与することになる（ステップＳ２６）。
【００３５】
このような処理を行なうことにより、シリーズ録画を任意に続行又は終了させることが可能となるものである。
【００３６】
又、一度、「予約設定続行」が設定されれば（すなわち、録画予約による録画済の番組を再生しこの番組を引き続き予約録画しつづける指示信号を受けると）、それ以降は、この番組について引き続き予約録画しつづけるかどうかの質問画面を表示せずとも、「予約設定続行」が継続するという実施形態も好適である。
【００３７】
（シリーズ録画の予約自動終了処理：図４，図１２，図１３）
次に、予約録画部・新番組判定部・最終回判定部４２の働きである、シリーズ録画の予約自動終了処理の図４のフローチャートを用いて説明する。初めに、そのタイトルを録画終了時に、シリーズ新番組自動予約登録にて録画した番組かどうか調べる（ステップＳ３１）。シリーズ新番組自動予約登録にて録画した番組と判定されたら、ステップＳ３２に進み、最終回であるかどうかが問われ（ステップＳ３２）、そうでなければ終了する。
【００３８】
最終回であれば、シリーズ新番組自動予約登録にて最終話を録画したかどうか調べる（ステップＳ３３）。
【００３９】
そして、録画したのであればステップＳ３４に進み、録画が確認できなければ、ステップＳ３５に進む。そうでなければ終了する。
【００４０】
ステップＳ３３において、最終話までの話数をチェックし、１話から最終話まで全話揃っているかどうか調べ（ステップＳ３３）、全話揃っていればステップＳ３４に進み、そうでなければステップＳ３５に進む。
【００４１】
１話から最終話まで確認できた場合は、ユーザに録画したシリーズ名、放送回数、全話録画したことを次回システム起動時に図１２のような画面で通知して、該当のシリーズ予約設定を消去する（ステップＳ３４）。一方、１話から最終話まで確認できなかった場合は、図１３のような画面で最終話を録画したことを通知するに止めるものであり、予約録画を終了しないものである（ステップＳ３５）。図１３では、最終話を録画したことを通知するだけでもよいし、他の話で録画できなかったものがあるため録画を続行する（全話は録画できなかった旨）ことを更に通知することも好適である。
【００４２】
（新番組判定処理：図５）
次に、予約録画部・新番組判定部・最終回判定部４２の働きである、新番組判定処理を図５のフローチャートを用いて説明する。  
初めに、番組名の文字列情報を格納する（ステップＳ４１）。そして、番組名の文字列情報に「新」が含まれているかどうかを判断し（ステップＳ４２）、含まれていれば新番組と判断する（ステップＳ４４）。
【００４３】
又、ステップＳ４２において、番組名の文字列情報に「新」が含まれていない場合でも、番組名に話数が含まれていて、その話数を構成する数字が１、一、初など初回を表す文字であれば新番組であると判断してステップＳ４４に進む。
【００４４】
ステップＳ４２、Ｓ４３において、何も含まれていなければ新番組ではないと判断することとなる。
【００４５】
（最終回番組判定：図６）
次に、予約録画部・新番組判定部・最終回判定部４２の働きである、最終回番組判定処理の図６のフローチャートを用いて説明する。  
初めに、番組名の文字列情報を格納する（ステップＳ５１）。そして、番組名の文字列情報に「終」が含まれているかどうかを判断し（ステップＳ５２）、含まれていれば最終回番組と判断する（ステップＳ５４）。ここで、番組名の文字列情報に「終」が含まれていなくとも、番組名の文字列情報に最終話など終了をあらわす話数が含まれていれば、同様に、ステップＳ５４に進み、最終回番組と判断する（ステップＳ５４）。
【００４６】
ステップＳ５２、Ｓ５３において、何も含まれていなければ新番組ではないと判断することとなる。
【００４７】
（シリーズ予約登録：図７，図１４）
次に、予約録画部・新番組判定部・最終回判定部４２の働きである、シリーズ予約登録処理を図７のフローチャート及び図１４の説明図を用いて説明する。  
図１４は、シリーズ予約登録処理を模した図である。初めに、番組表からシリーズ予約設定の条件に合う、シリーズ予約設定のタイトルと同一シリーズのタイトルを検索する（ステップＳ６１）。そして、検索された同一シリーズのタイトルから話数を抽出する（ステップＳ６２）。ここで、シリーズ予約設定はその話数情報を保持しているかどうか調べる（ステップＳ６３）。既にシリーズ予約設定がその話数情報を保持していればステップＳ６４に進み、保持していなければステップＳ６５に進む。
【００４８】
既にシリーズ予約設定がその話数情報を保持していれば、図１４に示すように、自動予約登録を行い終了する（ステップＳ６４）。上記予約録画が実際に実行できた場合は、録画終了時に録画履歴情報として、その番組名情報を蓄積しておく。
【００４９】
シリーズ予約設定がその話数情報を保持していなければ、シリーズ予約設定は、シリーズ予約設定に話数情報を保持させた上で（ステップＳ６５）、自動予約登録を行い終了する（ステップＳ６４）。
【００５０】
ステップＳ６４で登録されたシリーズ番組の予約録画に関しては、例えば機器電源の電源供給がされていない等、番組放送時の機器状況によっては録画できていない可能性がある。つまり話数情報は必ず保持されるが、シリーズ録画自体の実行は失敗する可能性があったような場合には抜けの回が存在してしまうことに考慮されたい。
【００５１】
（番組が揃っているかの判定処理：図８，図１５）
次に、予約録画部・新番組判定部・最終回判定部４２の働きである、番組が揃っているかの判定処理の図８のフローチャート及び図１５の説明図を用いて説明する。  
初めに、図１５に示すように、シリーズ予約設定が保持している話数情報：ｗ［i］（０≦i＜Ｗ)から、話数情報に合う録画済のタイトルがあるかどうか調べる（ステップＳ７１）。
【００５２】
そのための初期化を行う。そして、録画済タイトルからシリーズ名：s［ｊ］と話数：ｗ［ｊ］を抽出する（ステップＳ７２）。
【００５３】
ここで、シリーズ名：s［ｊ］がシリーズ予約設定にあうかどうか調べる。一致すれば、ステップＳ７４に進み、一致しなければ、ステップＳ７５に進む。
【００５４】
話数：ｗ［i］と話数：ｗ［ｊ］が一致するかどうか調べ（ステップＳ７４）、一致すればステップＳ７７に進み、一致しなければステップＳ７５に進む。
【００５５】
そして、話数：ｗ［i］と話数：ｗ［ｊ］が一致すれば、i＝i＋１として、次の話数情報を用意する（ステップＳ７７）。
【００５６】
もし、i＝Ｗであれば、全部の話数情報に対応する録画済タイトルが存在したということが言えるので、ステップＳ７９に進む。そうでないならば、ステップＳ７７で用意した話数に対応する録画済のタイトルを探すため、ステップＳ７２に進む。
【００５７】
ステップＳ７９においては、話数が連番になっているかどうか調べる。話数が連続した番号ならば、全部揃っていると判定する（ステップＳ８０）。話数が飛び飛びの値ならば、全話がそろっていないと判定される（ステップＳ８１）。
【００５８】
このように、ユーザが気づかなかった新番組を自動的に録画しておくことにより、シリーズ途中でその番組に興味を持ったような場合にも、過去の放送回も含めてすべて視聴することができる。
【００５９】
又、番組情報中の特殊情報を判断材料とするわけではなく、番組情報に含まれる番組名、登場人物、番組説明といった文字情報をその判断材料とするため、番組表に依存せずに実施することが可能となる。
【００６０】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００６１】
【図１】本発明の一実施形態に係る放送記録装置の構成の一例を示すブロック図。
【図２】本発明の一実施形態に係る放送記録装置におけるシリーズ新番組の予約登録処理の一例を示すフローチャート。
【図３】本発明の一実施形態に係る放送記録装置におけるシリーズ新番組の終了時の処理の一例を示すフローチャート。
【図４】本発明の一実施形態に係る放送記録装置におけるシリーズ予約の自動終了の処理の一例を示すフローチャート。
【図５】本発明の一実施形態に係る放送記録装置における新番組の判定処理の一例を示すフローチャート。
【図６】本発明の一実施形態に係る放送記録装置における最終回の判定処理の一例を示すフローチャート。
【図７】本発明の一実施形態に係る放送記録装置におけるシリーズ予約登録の一例を示すフローチャート。
【図８】本発明の一実施形態に係る放送記録装置におけるシリーズ番組が全部揃っているかどうかを判定する処理に一例を示すフローチャート。
【図９】本発明の一実施形態に係る放送記録装置における番組表の一例を示す説明図。
【図１０】本発明の一実施形態に係る放送記録装置における自動録画設定画面の一例を示す説明図。
【図１１】本発明の一実施形態に係る放送記録装置における新番組自動録画の表示画面の一例を示す説明図。
【図１２】本発明の一実施形態に係る放送記録装置におけるシリーズ録画の完結を知らせる表示画面の一例を示す説明図。
【図１３】本発明の一実施形態に係る放送記録装置における最終回の録画の完了を知らせる表示画面の一例を示す説明図。
【図１４】本発明の一実施形態に係る放送記録装置におけるシリーズ予約設定における話数判断処理の一例を示す説明図。
【図１５】本発明の一実施形態に係る放送記録装置におけるシリーズ予約設定における話数判断処理の一例を示す説明図。
【符号の説明】
【００６２】
１１…通信部、１２…ＢＳ／ＣＳチューナ部、１３…地上波チューナ部、１８…ハードディスクドライブ部、１９…光ディスクドライブ部、２０…データ編集部、２１…エンコーダ部、２２…バッファ部、２３…ＭＰＥＧデコーダ部、２４…音声映像処理部、２６…ディスプレイ、２７…Ｉ／Ｆ部、２８…多重化部、２９…分離部、３０…制御部、３２…操作部、３３…表示部、Ｒ…リモコン、４２…予約録画部・新番組判定部・最終回判定部、４３…番組表生成部。
【図１】
0004751231.tif 000002
【図２】
0004751231.tif 000003
【図３】
0004751231.tif 000004
【図４】
0004751231.tif 000005
【図５】
0004751231.tif 000006
【図６】
0004751231.tif 000007
【図７】
0004751231.tif 000008
【図８】
0004751231.tif 000009
【図９】
0004751231.tif 000010
【図１０】
0004751231.tif 000011
【図１１】
0004751231.tif 000012
【図１２】
0004751231.tif 000013
【図１３】
0004751231.tif 000014
【図１４】
0004751231.tif 000015
【図１５】
0004751231.tif 000016